(57)【要約】【課題】競技中にシューズ内で足の前足部がずれるのを確実に防止できる、とくにフィールド競技に好適の陸上競技用シューズを提供する。【解決手段】ソール２と、ソール２の上に固着された甲被部３と、甲被部３の前足部分において、着用者の足の拇趾球部および子趾球部から前方の部分を緊締するための緊締ベルト４とからシューズを構成する。緊締ベルト４は、第１趾基節骨ＰＰ１　および第５趾基節骨ＰＰ５　に対応する位置に配置されている。【選択図】　図２
2004065724.tif 000002
【特許請求の範囲】
【請求項１】
陸上競技用シューズであって、
ソールと、
前記ソールの上に固着された甲被部と、
前記甲被部の前足部分において、着用者の足の拇趾球部および子趾球部から前方の部分を緊締するように設けられた緊締ベルトと、
を備えた陸上競技用シューズ。
【請求項２】
請求項１において、
足長をＬとし、シューズの踵部後端面から前記緊締ベルトの内甲側下端取付位置および外甲側下端取付位置までの長さをそれぞれをＢ１　，Ｂ２　とするとき
０．７５Ｌ≦Ｂ１　＜Ｌ
０．６５Ｌ≦Ｂ２　＜Ｌ
の関係が成立している、
ことを特徴とする陸上競技用シューズ。
【請求項３】
請求項１において、
前記緊締ベルトが、着用者の足の第１趾基節骨および第５趾基節骨に対応する位置に配置されている、
ことを特徴とする陸上競技用シューズ。
【請求項４】
請求項１ないし３において、
前記陸上競技用シューズがフィールド競技用シューズである、
ことを特徴とする陸上競技用シューズ。
【発明の詳細な説明】
【０００１】
【発明の属する技術分野】
本発明は、陸上競技用シューズに関し、詳細には、その緊締構造の改良に関する。
【０００２】
【従来の技術およびその課題】
シューズの甲被部を足に緊締するための緊締ベルトを有するシューズとして、たとえば実開平３−１２７５１３号公報や実開平４−４８８０７号公報に示すものが提案されている。
【０００３】
実開平３−１２７５１３号公報においては、甲被部の足甲部分を幅方向に横切る緊締ベルトが設けられている。すなわち、この場合の緊締ベルトの取付位置は、同公報中の図面に示すように、甲被部の足甲部分である。
【０００４】
また、実開平４−４８８０７号公報においては、甲被部の一方の側において環状リングを介して逆Ｖ字状に折り返されたベルト片と、甲被部の他方の側に配設され、環状リングにより折り返されて止着されるベルト部とから緊締ベルトが構成されている。この場合、ベルト片の前側部分の取付位置は、同公報中に記載されているように、シューズの前部踏付部分または足の小指（つまり第５趾）の中足趾節関節部分である。
【０００５】
その一方、陸上競技の中でもとくにフィールド競技においては、跳躍や投擲などの踏切り動作や踏込み動作の際に、足裏とソールの間に強いせん断力が発生するので、足の前足部がシューズ内でずれないように固定されているのが好ましい。
【０００６】
しかしながら、上記従来のシューズの場合、緊締ベルトが足の中足趾節関節部分を、または中足趾節関節部分から後方の部分を緊締するようになっており、ある程度は固定されるものの、フィールド競技に使用した場合には、強い踏切り動作や踏込み動作の際に緊締が不十分となって、足の前足部をシューズ内で確実に固定することができない場合が生じる。
【０００７】
本発明は、このような従来の実情に鑑みてなされたもので、その目的は、競技中にシューズ内で足の前足部がずれるのを確実に防止できる、とくにフィールド競技に好適の陸上競技用シューズを提供することにある。
【０００８】
【課題を解決するための手段】
請求項１の発明に係る陸上競技用シューズは、ソールと、ソールの上に固着された甲被部と、甲被部の前足部分において、着用者の足の拇趾球部および子趾球部から前方の部分を緊締するように設けられた緊締ベルトとを備えている。
【０００９】
請求項１の発明によれば、緊締ベルトにより、着用者の足の拇趾球部および子趾球部から前方の部分が緊締されるので、足の前足部を強固に締め付けてシューズに固定することができるようになり、これにより、競技中に足の前足部がシューズ内でずれるのを確実に防止できる。
【００１０】
なお、ここで、足の「拇趾球部」とは、解剖学上、足の第１趾中足趾節関節ＭＪ１　部分を指し、「子趾球部」とは、同様に解剖学上、足の第５趾中足趾節関節ＭＪ５　部分を指している（図３参照）。
【００１１】
請求項２の発明においては、足長をＬとし、シューズの踵部後端面から緊締ベルトの内甲側下端取付位置までの長さをＢ１　とするとき、０．７５Ｌ≦Ｂ１　＜Ｌの関係が成立しており、シューズの踵部後端面から緊締ベルトの外甲側下端取付位置までの長さをＢ２　とするとき、０．６５Ｌ≦Ｂ２　＜Ｌ　の関係が成立している。
【００１２】
この場合においても、請求項１の発明と同様に、緊締ベルトにより、着用者の足の前足部を強固に締め付けて足をシューズに固定することができるので、競技中に足の前足部がシューズ内でずれるのを確実に防止できる。
【００１３】
請求項３の発明においては、緊締ベルトが、着用者の足の第１趾基節骨および第５趾基節骨に対応する位置に配置されているので、足の前足部をシューズに強固に固定できるようになる。
【００１４】
この陸上競技用シューズは、請求項４の発明に記載されているように、フィールド競技用シューズであるのが好ましい。フィールド競技の場合、跳躍や投擲などの踏切り動作や踏込み動作の際に、シューズ内で足の前足部がとくに前方にずれやすくなる傾向があり、このため、足の前足部を固定する緊締ベルトが設けられることによって、このような前足部のずれを確実に防止でき、その結果、好記録につながるようになるからである。
【００１５】
【発明の実施の形態】
以下、本発明の実施態様を添付図面に基づいて説明する。
図１ないし図３は、本発明の一実施態様による陸上競技用シューズを説明するための図であって、図１は陸上競技用シューズの外甲側側面図、図２は陸上競技用シューズの内甲側側面図、図３は緊締ベルトの下端側取付位置を足の骨格構造との関係で示す図である。
【００１６】
図１および図２に示すように、この陸上競技用シューズ１は、フィールド競技用のシューズであって、ソール２と、ソール２の上に固着された甲被部３と、甲被部３の所定部位をそれぞれ緊締するように設けられた緊締ベルト４，５とを備えている。
【００１７】
ソール２は、比較的硬質で反発性に富む合成樹脂から構成されており、その下側の接地面には、たとえばセラミックス、金属または硬質樹脂などから形成された複数のスタッド２０が設けられている。
【００１８】
緊締ベルト４は、短尺の第１のベルト４１と、長尺の第２のベルト４２と、これらを連結するＤ環（Ｄ形環状リング）４３とから構成されている。
【００１９】
第１のベルト４１は、シューズの内甲側に配設されるとともに、下端が内甲側の甲被部周縁部またはソール２に固定されており、先端にはＤ環４３が連結されている。第２のベルト４２は、シューズの外甲側に配設されるとともに、下端が外甲側の甲被部周縁部またはソール２に固定されており、先端は足甲部を越えて内甲側まで延びている。第２のベルト４２の下端側および先端側の裏面には、面ファスナ４２ａが固着されており、第２のベルト４２の先端は、Ｄ環４３を挿通して折り返された後、下端側の面ファスナ４２ａに止着されるようになっている。
【００２０】
同様に、緊締ベルト５は、短尺の第１のベルト５１と、長尺の第２のベルト５２と、これらを連結するＤ環５３とから構成されている。
【００２１】
第１のベルト５１は、シューズの内甲側において甲被部２の内部に配設されるとともに、下端が内甲側の甲被部周縁部またはソール２に固定されており、先端にはＤ環５３が連結されている。第２のベルト５２は、シューズの外甲側に配設されるとともに、下端が外甲側の甲被部周縁部またはソール２に固定されており、先端は足甲部を越えて内甲側まで延びている。第２のベルト５２の下端側および先端側の裏面には、面ファスナ５２ａが固着されており、第２のベルト５２の先端は、Ｄ環５３を挿通して折り返された後、下端側の面ファスナ５２ａに止着されるようになっている。
【００２２】
緊締ベルト４，５の各ベルトを構成する材料としては、たとえばポリエチレン繊維やポリアセタール繊維、ポリビニルアルコール繊維の他、ナイロン繊維やポリエステル繊維などが用いられる。
【００２３】
緊締ベルト５は、シューズの足甲上部を緊締するための部材であるため、甲被部の足甲上部に配置されている。緊締ベルト４は、シューズの前足部分において、着用者の足の拇趾球部および子趾球部から前方の部分を緊締するための部材である。このため、緊締ベルト４は、図３に示すように、解剖学上、足の「拇趾球部」および「子趾球部」にそれぞれ対応する足の第１趾中足趾節関節ＭＪ１　部分および第５趾中足趾節関節ＭＪ５　部分から前方に配置されている。なお、図３中、二点鎖線４０は、緊締ベルト４の長手方向の中心線を示している。
【００２４】
言い換えれば、足長をＬとし、シューズの踵部後端面から緊締ベルト４の内甲側下端取付位置および外甲側下端取付位置までの長さをそれぞれをＢ１　，Ｂ２　とするとき
０．７５Ｌ≦Ｂ１　＜Ｌ
０．６５Ｌ≦Ｂ２　＜Ｌ
の関係が成立している。
【００２５】
なお、図３中の二点鎖線４０で示すように、緊締ベルト４０は、第１趾基節骨ＰＰ１　および第５趾基節骨ＰＰ５　を緊締するように配設されているのがより好ましい。
【００２６】
このような緊締ベルト４の緊締によって、足の前足部を強固に締め付けて足をシューズに固定することができるようになり、これにより、競技中に足の前足部がシューズ内でずれるのを確実に防止できる。
【００２７】
陸上競技の中でもとりわけフィールド競技の場合には、跳躍や投擲などの踏切り動作や踏込み動作の際に、シューズ内で足の前足部がとくに前方にずれやすくなる傾向があるが、緊締ベルト４によって足の前足部が固定されることにより、このような前足部のずれを確実に防止できるようになる。このようにして、フィールド競技に好適の陸上競技用シューズを実現できる。
【００２８】
なお、前記実施態様では、シューズの内甲側にＤ環４３を配置し、裏面に面ファスナ４２ａを有する第２のベルト４２をシューズの外甲側に配設した例を示したが、本発明の適用はこれに限定されない。シューズの外甲側にＤ環４３を配置し、裏面に面ファスナ４２ａを有する第２のベルト４２をシューズの内甲側に配設するようにしてもよい。
【００２９】
また、第１のベルト４１に関しては、Ｄ環４３を介してソール側に折り返してソールに固定することによって、逆Ｖ字状に配設するようにしてもよい。
【００３０】
【発明の効果】
以上のように、本発明に係る陸上競技用シューズによれば、着用者の足の拇趾球部および子趾球部から前方の部分を緊締する緊締ベルトを設けるようにしたので、足の前足部を強固に締め付けて足をシューズに固定することができるようになり、これにより、運動中に足の前足部がシューズ内でずれるのを確実に防止できる効果がある。
【図面の簡単な説明】
【図１】本発明の一実施態様による陸上競技用シューズの外甲側側面図である。
【図２】本発明の一実施態様による陸上競技用シューズの内甲側側面図である。
【図３】図１および図２のシューズにおいて、緊締ベルトの下端側取付位置を足の骨格構造との対応関係および踵後端面からの距離で示す図である。
【符号の説明】
１：　陸上競技用シューズ
２：　ソール
２０：　スタッド
３：　甲被部
４：　緊締ベルト
４０：　中心線
４１：　第１のベルト
４２：　第２のベルト
４３：　Ｄ環
ＰＰ１　：　第１趾基節骨
ＰＰ５　：　第５趾基節骨
ＭＪ１　：　第１趾中足趾節関節
ＭＪ５　：　第５趾中足趾節関節
【図１】
2004065724.tif 000003
【図２】
2004065724.tif 000004
【図３】
2004065724.tif 000005